(57)【要約】【課題】個人に割り当てる通行権限を作成する際に、新規の通行権限を作成する手間を軽減することができる入退室管理システムを提供する。【解決手段】個人識別情報へ付与するドアにおける通行可否情報である通行権限を作成する際に、管理サーバがデータベースに既に登録済みの通行権限を合成することにより新規の通行権限を作成する。管理サーバは、データベースに、予めエリアごとに通行可能な時間帯が指定されている通行権限が登録されており、処理部は、入力部から複数の通行権限（例えば、通行権限Ｎｏ．１および通行権限Ｎｏ．２）が選択された場合、選択された通行権限に基づいて合成した第１の合成通行権限（例えば、通行権限Ｎｏ．５１）として作成し、データベースに登録する。【選択図】図９
2013171488.tif 000002
【特許請求の範囲】
【請求項１】
認証情報を格納するデータベースを有する管理サーバと、前記データベースから取得した認証情報を格納する記憶部を有するとともにエリア内にある出入口の電気錠を制御する制御装置とを有し、前記制御装置が、前記出入口に設置された認証情報入力装置により入力された認証情報と前記記憶部に格納されている認証情報とを照合し、その結果により前記電気錠の開閉を制御する入退室管理システムにおいて、
前記管理サーバは、
前記データベースに、予め前記エリアごとに通行可能な時間帯が指定されている通行権限が前記認証情報に対応付けて登録されており、
システム管理者により情報が入力される入力部と、
前記入力部から入力される情報に基づいて前記通行権限を作成・更新する処理部とを備え、
前記処理部は、前記データベースに既に記憶されている情報を用いて新規の通行権限を作成する際に、前記入力部から複数の前記通行権限が選択された場合、前記選択された通行権限に基づいて合成した第１の合成通行権限として作成し、前記データベースに登録する
ことを特徴とする入退室管理システム。
【請求項２】
前記処理部は、複数の前記第１の合成通行権限が選択された場合、前記選択された第１の合成通行権限に基づいて合成した第２の合成通行権限として作成し、前記データベースに登録する
ことを特徴とする請求項１に記載の入退室管理システム。
【請求項３】
前記処理部は、前記第１の合成通行権限および前記第２の合成通行権限が選択された場合、前記選択された第１の合成通行権限および前記第２の合成通行権限に基づいて第３の合成通行権限として作成し、前記データベースに登録する
ことを特徴とする請求項２に記載の入退室管理システム。
【請求項４】
前記処理部は、前記選択された複数の前記通行権限が、共有部エリアの通行権限と専有部エリアの通行権限の場合、前記第１の合成通行権限を、前記共有部エリアと前記専有部エリアとを合成したフロアの通行権限として、前記データベースに登録する
ことを特徴とする請求項１に記載の入退室管理システム。
【請求項５】
前記処理部は、前記選択された複数の前記通行権限が、第１の共有部エリアの通行権限と第２の共有部エリアの通行権限の場合、前記第１の合成通行権限を、前記第１の共有部エリアと前記第２の共有部エリアとを合成した合成共有部の通行権限として、前記データベースに登録する
ことを特徴とする請求項１に記載の入退室管理システム。
【請求項６】
前記処理部は、前記選択された複数の前記通行権限が、共有部エリアの通行権限と専有部エリアの通行権限の場合、前記第１の合成通行権限を、前記共有部エリアと前記専有部エリアとを合成したフロアの通行権限として、前記データベースに登録し、
前記処理部は、さらに、複数の前記フロアの通行権限が選択された場合、前記第２の合成通行権限を、前記複数のフロアの通行権限を合成した合成フロアの通行権限として、前記データベースに登録する
ことを特徴とする請求項２に記載の入退室管理システム。
【請求項７】
前記処理部は、前記選択された複数の前記通行権限が、第１の共有部エリアの通行権限と第２の共有部エリアの通行権限の場合、前記第１の合成通行権限を、前記第１の共有部エリアと前記第２の共有部エリアとを合成した合成共有部の通行権限として、前記データベースに登録し、
前記処理部は、さらに、前記選択された複数の前記通行権限が、共有部エリアの通行権限と専有部エリアの通行権限の場合、前記第１の合成通行権限を、前記共有部エリアと前記専有部エリアとを合成したフロアの通行権限として、前記データベースに登録し、
前記処理部は、さらに、複数の前記フロアの通行権限が選択された場合、前記第２の合成通行権限を、前記複数のフロアの通行権限を合成した合成フロアの通行権限として、前記データベースに登録し、
前記処理部は、さらに、前記合成共有部の通行権限と前記合成フロアの通行権限とが選択された場合、前記合成共有部の通行権限と前記合成フロアの通行権限とに基づいて前記第３の合成通行権限として、前記データベースに登録する。
ことを特徴とする請求項３に記載の入退室管理システム。
【請求項８】
前記処理部は、前記入力部より論理和または論理積の合成方法が指定された場合、登録済みの通行権限を合成する際、前記指定された合成方法に基づいて前記通行可能な時間帯を算出する
ことを特徴とする請求項１から請求項７のいずれか１項に記載の入退室管理システム。
【請求項９】
前記処理部は、前記指定された合成方法に基づいて前記通行可能な時間帯を算出した際に、通行可能な時間帯を算出できない場合、通行可能な時間帯がない旨を表示部に告知する
ことを特徴とする請求項８に記載の入退室管理システム。
【発明の詳細な説明】
【技術分野】
【０００１】
本発明は、新規の通行権限を作成する手間を軽減することができる入退室管理システムに関するものである。
【背景技術】
【０００２】
入退室管理システムは、カードリーダ等の認証情報入力装置により入力された認証情報（ＩＤ、パスワード等）と、サーバのデータベースおよび電気錠を制御する制御装置に格納されている認証情報とを制御装置が照合し、その結果を用いて、通行可であれば解錠、通行不可であれば施錠状態保持といった電気錠制御を実施することにより、入退室を管理する。
【０００３】
サーバのデータベースおよび制御装置に格納されている個人識別情報には、各個人に割り当てた通行権限情報があり、この情報を参照し、通行可否を決定する。この通行権限情報は、入退室管理システムが制御する全ドアにおける通行可否情報である。前記より、入退室管理システムにおいては、システム運用管理者等が通行権限を作成し、各個人に通行権限を割り当てる必要がある。
【０００４】
従来の技術として、特許文献１に、訪問者の受付に際してシステムに対する設定の手間を省く機能が開示されている。また、特許文献２に、臨時通行者の通行を一定のエリアに制限する入退室管理システムが開示されている。
【先行技術文献】
【特許文献】
【０００５】
【特許文献１】特開２００５−６８８９９号公報
【特許文献２】特開２０１０−２６７３３号公報
【発明の概要】
【発明が解決しようとする課題】
【０００６】
従来の入退室管理システムは、各個人に対し、通行可能なドアを一つずつ割り当てることにより、通行権限を付与していた。そのため、入退室管理システムに登録する個人が多い場合や、入退室管理システムが制御するドアが多い場合には、個人に通行権限を割り当てる際に、非常に手間を要していた。
【０００７】
本発明は、前記の課題を解決するための発明であって、個人に割り当てる通行権限を作成する際に、新規の通行権限を作成する手間を軽減することができる入退室管理システムを提供することを目的とする。
【課題を解決するための手段】
【０００８】
前記目的を達成するため、本発明の入退室管理システムは、認証情報を格納するデータベースを有する管理サーバ（例えば、サーバ１）と、データベースから取得した認証情報を格納する記憶部を有するとともにエリア内にある出入口の電気錠を制御する制御装置とを有し、制御装置が、出入口に設置された認証情報入力装置（例えば、カードリーダ５）により入力された認証情報と記憶部に格納されている認証情報とを照合し、その結果により電気錠の開閉を制御する入退室管理システムにおいて、管理サーバは、前記データベースに予めエリアごとに通行可能な時間帯が指定されている通行権限が認証情報に対応付けて登録されており、システム管理者により情報が入力される入力部と、入力部から入力される情報に基づいて通行権限を作成・更新する処理部とを備え、処理部は、データベースに既に記憶されている情報を用いて新規の通行権限を作成する際に、入力部から複数の通行権限が選択された場合、選択された通行権限に基づいて合成した第１の合成通行権限（例えば、通行権限Ｎｏ．５１）として作成し、データベースに登録することを特徴とする。
【発明の効果】
【０００９】
本発明によれば、個人に割り当てる通行権限を作成する際に、新規の通行権限を作成する手間を軽減することができる。
【図面の簡単な説明】
【００１０】
【図１】本発明に係る実施形態の入退室管理システムを示す構成図である。
【図２】通行権限作成の処理を示すフローチャートである。
【図３】通行可能スケジュール作成例を示す説明図である。
【図４】合成通行権限作成の処理を示すフローチャートである。
【図５】図４に係る合成通行権限作成の処理を示すフローチャートである。
【図６】注意喚起ウィンドウの例を示す説明図である。
【図７】基本通行権限の作成例１を示す説明図である。
【図８】基本通行権限の作成例２を示す説明図である。
【図９】合成通行権限の作成例１を示す説明図である。
【図１０】合成通行権限の作成例２を示す説明図である。
【図１１】合成通行権限の作成例３を示す説明図である。
【発明を実施するための形態】
【００１１】
以下、本発明の実施形態について図面を参照して詳細に説明する。
図１は、本発明に係る実施形態の入退室管理システムを示す構成図である。図１において、ビルＡ内は、複数のフロア３０であるフロア３０Ａ、フロア３０Ｂ、フロア３０Ｃから構成される。フロア３０は、共有部５０と専有部５１とで構成され、具体的には、フロア３０Ａは共有部５０Ａと専有部５１Ａ、フロア３０Ｂは共有部５０Ｂと専有部５１Ｂ、フロア３０Ｃは共有部５０Ｃと専有部５１Ｃから構成される。なお、共有部５０Ａ〜５０Ｃを総称するときは共有部５０と記載する。専有部５１Ａ〜５１Ｃを総称するときは専有部５１と記載する。同様に、フロア３０Ａ〜３０Ｃを総称するときはフロア３０と記載する。
【００１２】
ビルＡ内には、入退室管理システムを有し、処理部１Ｓを有するサーバ１（管理サーバ）、データベース（ＤＢ：Data Base）２、入力部３Ｉおよび表示部３Ｐを有する監視用ＰＣ（Personal Computer）３、記憶部を有する制御装置４、カードリーダ５（認証情報入力装置）、ドア１０（ドア１０Ａ、ドア１０Ｂ、ドア１０Ｃ、ドア１０Ｄ、ドア１０Ｅ、ドア１０Ｆ、ドア１０Ｇ、ドア１０Ｈ、ドア１０Ｉ）が設置される。各ドアには、電気錠６が設置され、各ドアの近傍にカードリーダ５が設置されている。
【００１３】
共有部５０Ａにはドア１０Ａ、共有部５０Ｂにはドア１０Ｄ、共有部５０Ｃにはドア１０Ｇ、専有部５１Ａにはドア１０Ｂとドア１０Ｃ、専有部５１Ｂにはドア１０Ｅとドア１０Ｆ、専有部５１Ｃにはドア１０Ｈとドア１０Ｉが設置される。サーバ１と監視用ＰＣ３と各制御装置４は、ＬＡＮ（Local Area Network）１００で接続されている。
【００１４】
データベース２には、個人識別情報ＤＢ、履歴ＤＢ、その他ＤＢ等が格納される。個人識別情報ＤＢには、入退室管理システムに登録された個人識別情報が格納されており、履歴ＤＢには、カード操作履歴や警報履歴等の履歴情報等が格納されている。個人識別情報は、個人ごとに、カード番号、通行権限、氏名等の情報を有している。なお、サーバ１がデータベース２を有していてもよい。
【００１５】
各制御装置４の記憶部には、データベース２から取得した認証情報が格納されており、具体的には、データベース２に登録されている個人識別情報と同様の個人識別情報（カード番号、通行権限等）と履歴情報等が格納されている。また、制御装置４は、カードリーダ５と電気錠６を制御しており、カードリーダ５によって検出されたカード番号と、制御装置４に格納されているカード番号を、制御装置４が照合し、該当のカード番号が通行権限を有するカード番号であれば、制御装置４が電気錠６を解錠制御し、通行権限が無いカード番号であれば、施錠保持することで入退室管理システムを実現している。
【００１６】
前記の通り、通行権限とは、入退室管理システムが制御する全ドアにおける通行可否情報である。通行権限有りとなる条件は、該当ドアが属するエリアに対し、後述する通行可能スケジュールが割当てられており、かつ通行可能スケジュールで定めた通行可能時間帯にカード番号の照合を制御装置４が実施した場合である。
【００１７】
監視用ＰＣ３は、入退室の状況を監視する端末であるとともに、管理者が前記通行権限を作成する端末として使用してもよい。なお、通行権限を作成する端末を管理端末として別途配置してもよい。
【００１８】
図２は、通行権限作成の処理を示すフローチャートである。基本通行権限は、後述する合成通行権限（既存の通行権限の組み合わせにより作成する通行権限）と異なり、エリアに対して通行可能スケジュールを割り当てることにより作成する通行権限である。エリアとは、複数のドアをグループ化したものである。通行可能スケジュールとは、通行可能時間帯を定義したものである。
【００１９】
基本通行権限の作成に当たり、管理者は、監視用ＰＣ３を使用して、まずエリアを作成する（処理Ｓ１００）。例えば部屋単位でドアをグループ化し、１つのエリアとする。前記の通り、ドアをグループ化することにより、後述する通行可能スケジュールの割当て作業の効率化が図れる。ただし、最小単位としてドア一つでエリアとすることも可能とする。次に、管理者は、監視用ＰＣ３を使用して、通行可能スケジュールを作成する（処理Ｓ１０１）。前記の通り、通行可能スケジュールとは、通行可能時間帯を定義したものである。図３を参照して通行可能スケジュール作成例について説明する。
【００２０】
図３は、通行可能スケジュール作成例を示す説明図である。通行可能スケジュールのテーブルには、管理識別情報であるＮｏ（Ｎｏ．）、通行可能スケジュール名称、通行可能スケジュールを含んで構成される。具体的に説明すると、Ｎｏ．１の場合、「２４Ｈｒ通行可能」の名称で登録されており、通行可能な時間帯は０時から２４時である。また、Ｎｏ．２の場合、「コアタイム通行可能」の名称で登録されており、通行可能な時間帯は９時から１７時である。
【００２１】
図２に戻り、図３に示すような、通行可能スケジュールをパターン化しておくことにより、後述する処理Ｓ１０２で各エリアへ通行可能スケジュールを割り当てる際に、通行可能スケジュールを作成することなく、作成済みの通行可能スケジュールを選択するのみでよいため、手間を削減することができる。
【００２２】
次に、管理者は、監視用ＰＣ３を使用して、処理Ｓ１００で作成したエリアに対し、処理Ｓ１０１で作成した通行可能スケジュールを割り当てていくことで、基本通行権限を作成する（処理Ｓ１０２）。例えば、エリアＡに対し、通行可能スケジュールのＮｏ．１の「２４Ｈｒ通行可能」を割り当てることにより、エリアＡに属するドアを２４Ｈｒ通行可能な権限を作成する。
【００２３】
最後に、管理者は、監視用ＰＣ３を使用して、処理Ｓ１０２で作成した基本通行権限を個人に紐付けることで、個人に通行権限を付与する（処理Ｓ１０３）。
【００２４】
なお、前記したように、処理Ｓ１００、処理Ｓ１０１、処理Ｓ１０２、処理Ｓ１０３は全て図１内の監視用ＰＣ３にて行う。処理Ｓ１０３にて個人に割り当てた通行権限情報は、監視用ＰＣ３からＬＡＮ１００を経由しサーバ１へ伝送され、データベース２に格納される。さらに、サーバ１からＬＡＮ１００を経由し制御装置４に伝送され、制御装置４に格納される。前記の通り、この通行権限情報を用いて、入退室管理を実施する。
【００２５】
図４は、合成通行権限作成の処理を示すフローチャートである。図５は、図４に係る合成通行権限作成の処理を示すフローチャートである。図４および図５は、図２で作成した基本通行権限の組み合わせにより、新しい通行権限を作成する処理フローを示す。ここで、基本通行権限の組み合わせにより作成する通行権限を合成通行権限と呼ぶ。
【００２６】
まず、監視用ＰＣ３は、データベース２に登録されている通行権限を表示部に表示すると、管理者により合成通行権限を構成する通行権限が選択される（処理Ｓ２００）。ここで、選択される通行権限は、基本通行権限、合成通行権限のどちらでもよいとする。また、選択する通行権限は複数選択可能とする。
【００２７】
次に、組み合わせ方法が選択される（処理Ｓ２０１）。組み合わせ方法は、「一括」又は「エリア単位」を選択可能とする。「一括」は、全エリアにおいて、監視用ＰＣ３が処理Ｓ２００で選択された通行権限が持っている通行可能スケジュールを合成し、合成通行権限を作成することを意味する。「エリア単位」は、任意のエリアが選択され、その選択されたエリアのみに対して、監視用ＰＣ３が処理Ｓ２００で選択された通行権限が持っている通行可能スケジュールを合成し、合成通行権限を作成することを意味する。ここで、各エリアにおいて合成して作成した通行可能スケジュールを合成通行可能スケジュールと呼ぶ。
【００２８】
次に、処理Ｓ２０１において、「一括」が選択されると、監視用ＰＣ３は、組み合わせ方法を、「ＡＮＤ」又は「ＯＲ」が選択されるように表示部に指示する（処理Ｓ２０２）。「ＡＮＤ」が選択されると、監視用ＰＣ３は、各エリアにおいて、選択した通行権限の通行可能スケジュールの「論理積」をとり、各エリアの合成通行可能スケジュールを算出する（処理Ｓ２０３）。そして、次に、全エリアにおいて、合成通行可能スケジュールを作成したかを確認する（処理Ｓ２０４）。全エリアにおいて、作成できていない場合には（処理Ｓ２０４，ＮＯ）、処理Ｓ２０３に戻り、処理Ｓ２０３において未処理のエリアに対して合成通行可能スケジュールを算出する。一方、全エリアにおいて、合成通行可能スケジュールを作成できている場合には（処理Ｓ２０４，ＹＥＳ）、処理Ｓ２０５に進む。
【００２９】
次に、監視用ＰＣ３は、合成通行可能スケジュールを算出したことで、通行不可となったエリアが有るか否かを判定し（処理Ｓ２０５）、有る場合には（処理Ｓ２０５，有）、注意喚起ウィンドウを表示する（処理Ｓ２０６）。図６を参照して注意喚起ウィンドウについて説明する。無い場合には（処理Ｓ２０５，無）、処理Ｓ２０７に進む。
【００３０】
図６は、注意喚起ウィンドウの例を示す説明図である。注意喚起ウィンドウには、「通行不可となったエリアが存在します。処理を続行しますか？」のメッセージと、「はい」、「いいえ」の選択ボタンが含まれている。
【００３１】
図４に戻り、図６において「はい」が選択されると（処理Ｓ２０６，続行）、監視用ＰＣ３は、作成した合成通行権限を指示された個人に紐付けることで、個人に通行権限を付与し（処理Ｓ２０７）、合成通行権限作成の処理を終了する。図６において「いいえ」が選択されると（処理Ｓ２０６，中止）、合成通行権限作成の処理を終了する。
【００３２】
処理Ｓ２０６に示す注意喚起の表示処理は、組み合わせ方法として「ＡＮＤ」が選択された場合、処理Ｓ２００で選択された通行権限の持つ通行可能スケジュールが、１つでも通行可能時間帯を持たない場合、そのエリアの合成通行可能スケジュールは、通行不可スケジュールとなるため、ユーザが意図しないような通行不可となってしまうことを防ぐための処理である。
【００３３】
処理Ｓ２０２において、「ＯＲ」が選択されると、監視用ＰＣ３は、通行可能スケジュールの論理和をとることにより、各エリアの合成通行可能スケジュールを算出し（処理Ｓ２０８）、処理Ｓ２０４ａ（処理Ｓ２０４と処理Ｓ２０４ａとは同様の処理）に進み、全エリアにおいて、作成できていない場合には（処理Ｓ２０４ａ，ＮＯ）、処理Ｓ２０８に戻り、処理Ｓ２０８において未処理のエリアに対して合成通行可能スケジュールを算出する。一方、全エリアにおいて、作成できている場合には（処理Ｓ２０４ａ，ＹＥＳ）、処理Ｓ２０７に進む。
【００３４】
次に図５に示す処理フローについて説明する。
図４の処理Ｓ２０１において、「エリア単位」が選択されると、図５に示す処理フローの処理Ｓ２１０に進む。図５に示す処理フローにおいて、図４と同一の機能については同一の符号を付している。
【００３５】
監視用ＰＣ３は、エリアの選択画面を表示部に表示する。エリアが選択されると（処理Ｓ２１０）、監視用ＰＣ３は、組み合わせ方法を、「ＡＮＤ」又は「ＯＲ」が選択されるように表示部に指示する（処理Ｓ２０２）。「ＡＮＤ」が選択されると、監視用ＰＣ３は、各エリアにおいて、選択された通行権限の通行可能スケジュールの「論理積」をとり、各エリアの合成通行可能スケジュールを算出する（処理Ｓ２０３）。次に、監視用ＰＣ３は、合成通行可能スケジュールを算出したことで、通行不可となったエリアが有るか否かを判定し（処理Ｓ２０５）、有る場合には（処理Ｓ２０５，有）、注意喚起ウィンドウ（図６参照）を表示する（処理Ｓ２０６）。
【００３６】
図６において「はい」が選択されると（処理Ｓ２０６，続行）、監視用ＰＣ３は、合成通行可能スケジュールを作成したいエリアが他に有るか否かの問い合わせを表示部に表示し、合成通行可能スケジュールを作成したいエリアが他に有るか否かを判定する（処理Ｓ２０９）。エリアが他にある場合（処理Ｓ２０９，有）、処理Ｓ２１０に戻り、他に無い場合（処理Ｓ２０９，無）、処理Ｓ２１１に進む。
【００３７】
管理者は、処理Ｓ２１１において、表示部に表示されているエリアの中で、組み合わせ対象外としたエリアに対して割当てる通行可能スケジュールを選択する。選択には、処理Ｓ２００で選択した通行権限の持つ通行可能スケジュールか、通行不可スケジュールのいずれかを選択可能とする。選択の指示を受理すると、監視用ＰＣ３は、処理Ｓ２０７に進む。一方、図６において「いいえ」が選択されると（処理Ｓ２０６，中止）、合成通行権限作成の処理を終了する。
【００３８】
図５の処理Ｓ２０２において、「ＯＲ」が選択されると、監視用ＰＣ３は、選択されたエリアにおいて、選択された通行権限の通行可能スケジュールの「論理和」をとることにより、各エリアの合成通行可能スケジュールを算出し（処理Ｓ２０８）、処理Ｓ２０９に進む。
【００３９】
本実施形態では、前記の通り、処理Ｓ２０１において「一括」又は「エリア単位」の選択、処理Ｓ２０２において、「ＡＮＤ」又は「ＯＲ」の選択をしたことにより、ユーザの希望する通行権限に柔軟に対応し作成することができる。
【００４０】
なお、既に登録されている通行権限を組み合わせて合成通行権限を作成する際に、通行不可の場合と、通行可能の場合との「ＯＲ」が選択されたときについては、入退室管理システムの規則の従い、通行可能を優先するか、通行不可を優先するかは予め定義しておくとよい。
【００４１】
前記説明においては、監視用ＰＣ３にて処理を行うように説明したが、これに限定されるものではない。監視用ＰＣ３（図１参照）が表示処理の端末として、サーバ１（図１参照）で、合成通行権限作成の処理をしてもよい。図２に示す処理Ｓ１０３にて個人に割り当てた通行権限情報は、監視用ＰＣ３からサーバ１へ伝送されデータベース２に格納される。さらに、サーバ１から制御装置４に伝送され、制御装置４に格納される。前記の通り、この通行権限情報を用いて入退室管理を実施する。
【００４２】
図７は、基本通行権限の作成例１を示す説明図である。図１における各ドアを、以下の通りエリアでグループ化している。すなわち、ドア１０Ａを共有部Ａエリア、ドア１０Ｂおよびドア１０Ｃを専有部Ａエリア、ドア１０Ｄを共有部Ｂエリア、ドア１０Ｅおよびドア１０Ｆを専有部Ｂエリア、ドアＧを共有部Ｃエリア、ドア１０Ｈおよびドア１０Ｉを専有部Ｃエリアにグループ化している。
【００４３】
図７において、各エリアに対し、図３に示す登録されている通行可能スケジュールを割り当てている。通行可能スケジュールを割り当てていないエリア（空欄箇所）は通行不可となる。例えば、基本通行権限のＮｏ．２である「専有部Ａ」は、専有部Ａエリアに対し、通行可能スケジュールのＮｏ．１（図３参照）である「２４Ｈｒ通行可能」を割り当てているため、専有部Ａエリアに属するドア１０Ｂおよびドア１０Ｃを２４Ｈｒ通行可能な通行権限となる。
【００４４】
図８は、基本通行権限の作成例２を示す説明図である。図８に示す例は、単純な通行可否（２４Ｈｒ通行可能又は通行不可）でなく、通行可能な時間帯を指定した例である。例えば、基本通行権限のＮｏ．１１である「共有部Ａ  コアタイム」は、通行可能スケジュールのＮｏ．２（図３参照）である「コアタイム通行可能」を割り当てているため、共有部Ａエリアに属するドア１０Ａを、９時００分から１７時００分の時間帯のみ通行可能な通行権限となる。
【００４５】
図９は、合成通行権限の作成例１を示す説明図である。図９は、図４に示す合成通行権限の処理による作成例を示している。例えば、合成通行権限のＮｏ．５１（第１の合成通行権限）である「フロアＡ」は、基本通行権限のＮｏ．１（図７参照）である「共有部Ａ」と基本通行権限のＮｏ．２（図７参照）の「専有部Ａ」を「一括」かつ「ＯＲ」（図４の処理Ｓ２０８に対応）で組み合わせたものである。すなわち、基本通行権限のＮｏ．１である「共有部Ａ」で２４Ｈｒ通行可能の通行可能スケジュールが割り当てられている共有部Ａエリアと、基本通行権限のＮｏ．２である「専有部Ａ」で２４Ｈｒ通行可能の通行可能スケジュールが割り当てられている専有部Ａエリアを２４Ｈｒ通行可能となる合成通行権限が作成される。
【００４６】
また、合成通行権限のＮｏ．５４（第１の合成通行権限）である「共有部Ｉ」は、基本通行権限のＮｏ．１（図７参照）である「共有部Ａ」と基本通行権限のＮｏ．３（図７参照）である「共有部Ｂ」と基本通行権限のＮｏ．５である「共有部Ｃ」を「一括」かつ「ＯＲ」（図４の処理Ｓ２０８に対応）で組み合わせたものである。すなわち、基本通行権限のＮｏ．１である「共有部Ａ」で２４Ｈｒ通行可能の通行可能スケジュールが割り当てられている共有部Ａエリアと、基本通行権限のＮｏ．３である「共有部Ｂ」で２４Ｈｒ通行可能の通行可能スケジュールが割り当てられている共有部Ｂエリアと、基本通行権限のＮｏ．５である「共有部Ｃ」で２４Ｈｒ通行可能の通行可能スケジュールが割り当てられている共有部Ｃエリアを、２４Ｈｒ通行可能となる合成通行権限が作成される。前記の通り、合成通行権限は、通行権限を３つ以上組み合わせ、作成することも可能とする。
【００４７】
また、合成通行権限のＮｏ．５５（第１の合成通行権限）である「共有部II」は、基本通行権限のＮｏ．１１（図８参照）である「共有部Ａ  コアタイム」と基本通行権限のＮｏ．１３（図８参照）である「共有部Ｂ  午前」と基本通行権限のＮｏ．１５（図８参照）である「共有部Ｃ  午後」を「一括」かつ「ＯＲ」（図４の処理Ｓ２０８に対応）で組み合わせたものである。これは、基本通行権限が、単純な通行可否でなく、通行可能な時間を設定した場合の例である。「ＯＲ」の場合、通行権限は、選択した基本通行権限の各エリアにおいて、通行可能スケジュールの論理和をとり、通行可能スケジュールを決定とするため、合成通行権限「共有部II」は、共有部Ａエリアに属するドア１０Ａが、９時００分から１７時００分の時間帯のみ通行可能、共有部Ｂに属するドア１０Ｄが、９時００分から１２時００分の時間帯のみ通行可能、共有部Ｃに属するドア１０Ｇが、１３時００分から１７時００分の時間帯のみ通行可能な通行権限となる。
【００４８】
図１０は、合成通行権限の作成例２を示す説明図である。図１０は、既存の合成通行権限を組み合わせることにより、新規合成通行権限を作成する例を示す。例えば、合成通行権限のＮｏ．１０１（第２の合成通行権限）である「（フロアＡ）＋（フロアＢ）」は、合成通行権限のＮｏ．５１（図９参照）の「フロアＡ」と合成通行権限のＮｏ．５２（図９参照）の「フロアＢ」を「一括」かつ「ＯＲ」（図４の処理Ｓ２０８に対応）で組み合わせたものである。すなわち、合成通行権限のＮｏ．５１（図９参照）の「フロアＡ」で２４Ｈｒ通行可能の通行可能スケジュールが割り当てられている共有部Ａエリアと専有部Ａエリア、合成通行権限のＮｏ．５２（図９参照）である「フロアＢ」で２４Ｈｒ通行可能の通行可能スケジュールが割り当てられている共有部Ｂエリアと専有部Ｂエリアが通行可能となる合成通行権限が作成される。前記の通り、既存の合成通行権限を組み合わせ、新規通行権限を作成することも可能とする。
【００４９】
図１１は、合成通行権限の作成例３を示す説明図である。図１１は、組み合わせ方法として「エリア単位」かつ「ＡＮＤ」（図５の処理Ｓ２０３に対応）又は「エリア単位」かつ「ＯＲ」（図５の処理Ｓ２０８に対応）を選択した例を示す。合成通行権限のＮｏ．２０１（第３の合成通行権限）である「（共有部II）＋（フロアＡ）＋（フロアＢ）」は、合成通行権限のＮｏ．５５（図９参照）（第１の合成通行権限）である「共有部II」と合成通行権限のＮｏ．１０１（図１０参照）（第２の合成通行権限）である「（フロアＡ）＋（フロアＢ）」を、「エリア単位」で組み合わせることにより作成している。
【００５０】
各エリアの組み合わせ方法は、共有部Ａエリアが「ＡＮＤ」、専有部Ａエリアが「ＯＲ」、共有部Ｂエリアが「ＡＮＤ」、専有部Ｂエリアが「ＯＲ」、共有部Ｃエリアが「ＡＮＤ」、専有部Ｃエリアが「ＯＲ」である。前記の通り、「ＡＮＤ」の場合、選択した通行権限の各エリアにおいて、通行可能スケジュールの論理積をとり、通行可能スケジュールを決定し、「ＯＲ」の場合、通行権限は、選択した基本通行権限の各エリアにおいて、通行可能スケジュールの論理和をとり、通行可能スケジュールを決定する。
【００５１】
よって、合成通行権限「（共有部II）＋（フロアＡ）＋（フロアＢ）」は、共有部Ａエリアに属するドア１０Ａが、９時００分から１７時００分の時間帯のみ通行可能、専有部Ａエリアに属するドア１０Ｂ、１０Ｃが、２４Ｈｒ通行可能、共有部Ｂに属するドア１０Ｄが、９時００分から１２時００分の時間帯のみ通行可能、専有部Ｂエリアに属するドア１０Ｅ、１０Ｆが、２４Ｈｒ通行可能、共有部Ｃに属するドア１０Ｇが、１３時００分から１７時００分の時間帯のみ通行可能であるが、専有部Ｃに属するドア１０Ｈ、１０Ｉが通行不可となる通行権限が作成される。
【００５２】
本実施形態によれば、サーバ１は、データベース２に、予めエリアごとに通行可能な時間帯が指定されている通行権限（例えば、図７のＮｏ．１〜Ｎｏ．６）が登録されており、処理部１Ｓは、入力部３Ｉから複数の通行権限（例えば、図７のＮｏ．１、Ｎｏ．２）が選択された場合、選択された通行権限に基づいて合成した第１の合成通行権限（例えば、通行権限Ｎｏ．５１）として作成し、データベース２に登録することができる。
【００５３】
具体的に説明すると、処理部１Ｓは、選択された複数の通行権限が、共有部エリアの通行権限（例えば、図７のＮｏ．１）と専有部エリアの通行権限（例えば、図７のＮｏ．２）の場合、第１の合成通行権限を、共有部エリアと専有部エリアとを合成したフロアの通行権限（例えば、図９のＮｏ．５１）として、データベース２に登録する。
【００５４】
また、処理部１Ｓは、選択された複数の通行権限が、第１の共有部エリアの通行権限（例えば、図７のＮｏ．１）と第２の共有部エリアの通行権限（例えば、図７のＮｏ．３）の場合、第１の合成通行権限を、第１の共有部エリアと第２の共有部エリアとを合成した合成共有部の通行権限として、データベース２に登録する。
【００５５】
また、サーバ１の処理部１Ｓは、複数の第１の合成通行権限（例えば、図９のＮｏ．５１、Ｎｏ．５２）が選択された場合、選択された第１の合成通行権限に基づいて合成した第２の合成通行権限（図１０のＮｏ．１０１）として作成し、前記データベース２に登録することができる。
【００５６】
具体的に説明すると、処理部１Ｓは、選択された複数の通行権限が、共有部エリアの通行権限（例えば、図７のＮｏ．１）と専有部エリアの通行権限（例えば、図７のＮｏ．２）の場合、第１の合成通行権限を、共有部エリアと専有部エリアとを合成したフロアの通行権限（例えば、図９のＮｏ．５１）として、データベース２に登録し、さらに、複数のフロアの通行権限（例えば、図９のＮｏ．５１、Ｎｏ．５２）が選択された場合、第２の合成通行権限を、複数のフロアの通行権限を合成した合成フロアの通行権限（図１０のＮｏ．１０１）として、データベース２に登録する。
【００５７】
また、処理部１Ｓは、第１の合成通行権限（例えば、図９のＮｏ．５５）および第２の合成通行権限（例えば、図１０のＮｏ．１０１）が選択された場合、選択された第１の合成通行権限および第２の合成通行権限に基づいて第３の合成通行権限（例えば、図１１のＮｏ．２０１）として作成し、データベース２に登録することができる。
【００５８】
具体的に説明すると、処理部１Ｓは、選択された複数の通行権限が、第１の共有部エリアの通行権限（例えば、図８のＮｏ．１１）と第２の共有部エリアの通行権限（例えば、図８のＮｏ．１３）の場合、第１の合成通行権限を、第１の共有部エリアと第２の共有部エリアとを合成した合成共有部の通行権限として、データベース２に登録し、さらに、選択された複数の通行権限が、共有部エリアの通行権限（例えば、図７のＮｏ．１）と専有部エリアの通行権限（例えば、図７のＮｏ．２）の場合、第１の合成通行権限を、共有部エリアと前記専有部エリアとを合成したフロアの通行権限（例えば、図９のＮｏ．５１）として、データベース２に登録し、さらに、複数のフロアの通行権限（例えば、図９のＮｏ．５１、Ｎｏ．５２）が選択された場合、第２の合成通行権限を、複数のフロアの通行権限を合成した合成フロアの通行権限（例えば、図１０のＮｏ．１０１）として、データベース２に登録し、さらに、合成共有部の通行権限と合成フロアの通行権限とが選択された場合、合成共有部の通行権限と合成フロアの通行権限とに基づいて第３の合成通行権限として、データベース２に登録する。
【００５９】
本実施形態によれば、既に作成済みの通行権限を組み合わせて通行権限を作成可能となるため、通行権限作成の際、通行可能なドアを一つずつ割り当てる作業と比べ作業量を低減し、運用の効率化を図ることができる。
【符号の説明】
【００６０】
１    サーバ（管理サーバ）
２    データベース（ＤＢ）
３    監視用ＰＣ
４    制御装置
５    カードリーダ（認証情報入力装置）
６    電気錠
１０  ドア
３０  フロア
５０  共有部エリア
５１  専有部エリア
１００    ＬＡＮ
【図１】
2013171488.tif 000003
【図２】
2013171488.tif 000004
【図３】
2013171488.tif 000005
【図４】
2013171488.tif 000006
【図５】
2013171488.tif 000007
【図６】
2013171488.tif 000008
【図７】
2013171488.tif 000009
【図８】
2013171488.tif 000010
【図９】
2013171488.tif 000011
【図１０】
2013171488.tif 000012
【図１１】
2013171488.tif 000013